(57)【要約】【課題】水分の浸入によって有機ＥＬ表示素子の発光特性が劣化することのない、信頼性の高いトップエミッション型の有機ＥＬ表示装置を提供する。【解決手段】基板１上に形成した駆動回路、駆動回路を覆う平坦化膜９、第一電極５と第二電極８に挟持された有機層を備える有機ＥＬ表示素子を複数配列した表示部Ａ、表示部Ａを覆う樹脂保護膜１０、樹脂保護膜１０を覆う第一無機保護膜１１を備える。駆動回路は、画素回路３及び周辺回路２からなる。平坦化膜９は、表示部Ａの周囲の少なくとも一部で分断領域Ｂによって分断されている。分断領域Ｂから樹脂保護膜１０にかけて第二無機保護膜２０を備える。樹脂保護膜１０の末端が第二無機保護膜２０上に配されている。【選択図】  図１
2009283242.tif 000002
【特許請求の範囲】
【請求項１】
基板と、該基板上に形成された駆動回路と、該駆動回路を覆う平坦化膜と、該平坦化膜の上に形成され、第一電極と第二電極とに挟持された有機層
を備える有機ＥＬ表示素子を複数配列した表示部と、少なくとも該表示部を覆う樹脂保護膜と、少なくとも該樹脂保護膜を覆う第一無機保護膜とを備える有機ＥＬ表示装置であって、
前記平坦化膜は、前記表示部の周囲の少なくとも一部で分断領域によって分断されており、
前記分断領域から前記樹脂保護膜にかけて第二無機保護膜が備えられており、
前記樹脂保護膜の末端が前記第二無機保護膜上に配されていることを特徴とする有機ＥＬ表示装置。
【請求項２】
前記第二無機保護膜は、前記平坦化膜上に接して設けられていることを特徴とする請求項１に記載の有機ＥＬ表示装置。
【請求項３】
前記樹脂保護膜の端部は、前記分断領域の内周よりも前記表示部側に形成されていることを特徴とする請求項１又は２に記載の有機ＥＬ表示装置。
【発明の詳細な説明】
【技術分野】
【０００１】
本発明は、有機エレクトロルミネッセンス（以下、有機ＥＬと記述する）を用いた表示装置に関するものであり、詳しくはその封止構造に関するものである。
【背景技術】
【０００２】
近年、フラットパネルディスプレイとして、自発光型デバイスである有機ＥＬ表示装置が注目されている。有機ＥＬ表示装置の表示部には、第一電極と第二電極とに挟持された有機層を備える有機ＥＬ表示素子が複数配列されており、有機ＥＬ表示素子が画素として発光し、画像を表示する。有機ＥＬ表示素子は、その欠点として水分や酸素に極めて弱いため、外部から水分が浸入すると劣化し、ダークスポットと呼ばれる非発光部を発生してしまう。
【０００３】
外部から有機ＥＬ表示素子への水分浸入を防ぐ構成として、図２に示すように、樹脂保護膜１０と無機保護膜１１とからなる保護膜で有機ＥＬ表示素子を覆う構成が開示されている（特許文献１参照）。図２は、特許文献１に記載された有機ＥＬ表示装置の構造を示す模式的断面図である。特許文献１によると、図２に示すように、樹脂保護膜１０は有機ＥＬ表示素子及びその周囲の基板の表面を覆い、無機保護膜１１は樹脂保護膜１０とその縁部及びその周囲の基板表面を覆う。このような構成により、樹脂保護膜１０が外部に晒されないため水分が浸入することがなく、有機ＥＬ表示素子の劣化を防ぐことができるとしている。
【０００４】
外部から有機ＥＬ表示素子への水分浸入を防ぐための他の構成として、表示部の外周に沿って平坦化膜に分断領域を設け、ガラス基板で封止する構成が開示されている（特許文献２参照）。図３は、特許文献２に記載された有機ＥＬ表示装置の構造を示す模式的断面図である。
【０００５】
特許文献２によると、図３に示すように、トップエミッション型の有機ＥＬ表示装置においては、有機ＥＬ表示素子と基板との間に設けられた画素回路３の凹凸を平坦化して、積層する膜の断切れを防止するため、樹脂材料からなる平坦化膜９が形成される。平坦化膜９は、周辺回路２を保護する機能も有するため、有機ＥＬ表示素子が形成されていない周辺回路２の上にも形成される。周辺回路は表示部の外周の少なくとも一辺に設けられている。このような構成からなる有機ＥＬ表示装置において、ガラス基板３１で封止した場合には、外部から平坦化膜９を介して水分が有機ＥＬ表示素子へ浸入し、有機ＥＬ表示素子が劣化するという問題が発生する。特許文献２に記載された技術は、このような問題を解決するため、図３に示すように、表示部Ａの外周に沿って平坦化膜９が分断された分断領域Ｂを形成し、水分の浸入を防ぐとしている。
【０００６】
なお、図２及び図３において、１は基板、２は周辺回路、３は画素回路、４はコンタクトホール、５は第一電極、６は有機層、７は素子分離膜、８は第二電極、９は平坦化膜、１０は樹脂保護膜、１１は無機保護膜をそれぞれ示す。また、図２及び図３において、３０は接着剤、３１はガラス基板、Ａは表示部、Ｂは分断領域をそれぞれ示す。
【０００７】
【特許文献１】特開２００３−２８２２４０号公報
【特許文献２】特開２００５−１６４８１８号公報
【発明の開示】
【発明が解決しようとする課題】
【０００８】
外部から有機ＥＬ表示素子への水分の浸入を防ぐ構成として、樹脂保護膜と無機保護膜とで有機ＥＬ素子を保護する構成は、コストや工程が少なく量産に好ましい。ところが、基板の表示部及び周辺回路上に平坦化膜を有するトップエミッション型の有機ＥＬ表示装置の全面にこのような保護膜を採用した場合、特許文献１に記載の構成では、平坦化膜を介して外部から有機ＥＬ表示素子へ水分が浸入してしまう。
【０００９】
ここで、特許文献２に記載されたように、平坦化膜に分断領域を形成しても、樹脂保護膜の端部が分断領域よりも外側の平坦化膜上に形成されてしまうと、平坦化膜から浸入した水分が樹脂保護膜を介して有機ＥＬ表示素子に浸入してしまう。
【００１０】
この問題を解決するためには、樹脂保護膜の端部を分断領域の外周よりも表示部側に形成すればよい。しかし、樹脂保護膜の端部が分断領域の内周よりも表示部側に形成されると、分断領域の内周よりも表示部側に、平坦化膜が無機保護膜で覆われた領域ができる。平坦化膜上には有機ＥＬ表示素子作製工程中に異物が付着しやすく、その上に無機保護膜が形成されると欠陥が生ずる場合が多い。無機保護膜に欠陥があると、平坦化膜を介して外部から有機ＥＬ表示素子へ水分が浸入してしまう。
【００１１】
そこで、樹脂保護膜の端部を分断領域の外周と内周の間となるように形成すれば、上述した問題は解決できる。しかし、そのためには分断領域の幅を大きくしなければならず、下層の回路・配線を保護することができなくなる。
【００１２】
本発明は、上述した事情に鑑み提案されたもので、水分の浸入によって有機ＥＬ表示素子の発光特性が劣化することのない、信頼性の高いトップエミッション型の有機ＥＬ表示装置を提供することを目的とする。
【課題を解決するための手段】
【００１３】
上記目的を達成すべく、本発明者は鋭意研究開発を重ねた結果、次のような手段が最良であることを見出した。すなわち、本発明の有機ＥＬ表示装置は、基板、駆動回路、平坦化膜、表示部、樹脂保護膜、第一無機保護膜を備えている。駆動回路は基板上に形成され、平坦化膜は駆動回路を覆うようになっている。また、表示部は、平坦化膜の上に形成され、第一電極と第二電極とに挟持された有機層を備える有機ＥＬ表示素子を複数配列したものである。また、樹脂保護膜は表示部を覆い、第一無機保護膜は樹脂保護膜を覆うようになっている。そして、平坦化膜が表示部の周囲の少なくとも一部で分断領域によって分断されている。また、分断領域から樹脂保護膜にかけて第二無機保護膜が備えられており、樹脂保護膜の末端が第二無機保護膜上に配されている。
【発明の効果】
【００１４】
本発明の有機ＥＬ表示装置によれば、樹脂保護膜の端部が分断領域の内周よりも表示部側に形成される場合、平坦化膜上の第一無機保護膜に欠陥が生じても平坦化膜を介して外部から有機ＥＬ表示素子へ水分が浸入することがない。したがって、信頼性の高いトップエミッション型の有機ＥＬ表示装置を提供することができる。すなわち、分断領域の内周よりも表示部側の平坦化膜が第二無機保護膜で覆われているので、その上に設けられた第一無機保護膜に欠陥が生じたとしても、第二無機保護膜で水分の浸入を遮断することができる。
【発明を実施するための最良の形態】
【００１５】
以下、図面を参照して、本発明の有機ＥＬ表示装置の実施形態を、構成要素毎に説明し、さらにその製造方法について説明する。
【００１６】
図１は、本発明の実施形態に係る有機ＥＬ表示装置を示す断面図である。有機ＥＬ表示装置は、複数の有機ＥＬ表示素子が並べられた表示部Ａとその周辺部とから構成されている。なお、図１において、１は基板、２は周辺回路、３は画素回路、４はコンタクトホール、５は第一電極、６は有機層、７は素子分離膜、８は第二電極、９は平坦化膜、１０は樹脂保護膜、１１は第一無機保護膜をそれぞれ示す。また、図１において、２０は第二無機保護膜、Ａは表示部、Ｂは分断領域をそれぞれ示す。
【００１７】
＜基板＞
ガラス等の絶縁性基板上に駆動回路を形成し、基板１として用いる。駆動回路は、有機ＥＬ表示素子を駆動するための画素回路３と、画素回路３を駆動するための周辺回路２からなり、画素回路３と周辺回路２は配線（不図示）で電気的に繋がっている。ここでは、画素回路３として、多結晶シリコン（以下ｐ−Ｓｉと記述する）、あるいは非晶質シリコン（以下ａ―Ｓｉと記述する）等からなるＴＦＴを備えるアクティブマトリクス回路を用いる。
【００１８】
＜平坦化膜＞
駆動回路の表面には、アクリル樹脂、ポリイミド樹脂等の樹脂材料からなる平坦化膜９を形成する。平坦化膜９は、駆動回路による基板表面の凹凸を平坦化して、積層する膜の断切れを防止するとともに、平坦化膜９や電極等のエッチング工程から駆動回路を保護する役割を担っている。
【００１９】
平坦化膜９を分断する分断領域Ｂは、表示部Ａの周囲の少なくとも一部を分断するように形成される。具体的には、分断領域Ｂは、表示部Ａの周囲であって、かつ駆動回路の設けられていない領域に形成する。例えば画素回路３と、周辺回路２との間に分断領域Ｂを形成するとよい。分断領域Ｂは、平坦化膜９を介して外部から表示部Ａへ水分が浸入するのを防ぎ、有機ＥＬ表示素子の劣化を防止する。
【００２０】
また、平坦化膜９には、後に形成する第一電極５と画素回路３を電気的に接続するためのコンタクトホール４が、画素毎に形成される。
【００２１】
＜第二無機保護膜＞
表示部Ａの外周から分断領域Ｂにかけて、第二無機保護膜２０を形成する。第二無機保護膜２０は、外部から平坦化膜９への水分の浸入を防止する役割を持っている。また、その上に、後述する第二電極８が設けられる場合は、第二電極８のシート抵抗を低減する補助電極を兼ねることができる。
【００２２】
第二無機保護膜２０には、Ａｌ、Ａｇ、Ａｕ、Ｚｎ、Ｃｒ、Ｍｏ、Ｗなどの金属、ＩＴＯ、ＩＺＯ、酸化亜鉛、酸化アルミニウム、酸化珪素などの金属酸化物、窒化珪素などが好適に用いられる。また、これらの混合物を用いることもできる。
【００２３】
第二無機保護膜２０の厚さは、平坦化膜９への水分の浸入を遮断でき、かつ、膜応力の増大によって剥がれやクラックが生じないように決定される。具体的には０．１乃至３μｍであることが好ましく、０．５乃至１μｍであることがより好ましい。
【００２４】
＜第一電極＞
平坦化膜９上に、コンタクトホール４を介して画素回路３に接続する第一電極５を、有機ＥＬ表示素子毎に形成する。第一電極５には、Ａｌ、Ａｇ、Ａｕ、ＩＴＯ、ＩＺＯ、ＺｎＯ等、有機ＥＬ表示素子の電極として公知の材料を用いることができる。
【００２５】
必要に応じて、有機ＥＬ表示素子間に素子分離膜７を形成する。素子分離膜７は、有機ＥＬ表示素子の発光領域を規定するものである。素子分離膜７の材料には、絶縁材料が好適に用いられ、具体的には、アクリル樹脂、ポリイミド樹脂などの樹脂材料が好適に用いられる。
【００２６】
＜有機層＞
第一電極５上には、発光層を備える有機層６を形成する。有機層６は、発光層の他に、ホール注入層、ホール輸送層、電子輸送層、電子注入層等の機能を持つ層を有していてもよい。有機層各層には、公知の材料を用いることができる。
【００２７】
＜第二電極＞
有機層６上に第二電極８を形成し、第一電極５と第二電極８とに挟持された有機層６を備える有機ＥＬ表示素子が形成される。第二電極８には、第一電極５と同様の材料を用いることができる。ただし、有機ＥＬ表示素子で発光した光を取り出すため、第一電極５と第二電極８の少なくとも一方を透明にしておかなければならない。光取り出し側に形成する電極には、金属酸化物からなる透明導電膜や薄膜金属からなる半透過導電膜、あるいはそれらを積層した膜を用いる。
【００２８】
＜樹脂保護膜、第一無機保護膜＞
第二電極８上に、樹脂保護膜１０と第一無機保護膜１１を形成する。
【００２９】
有機ＥＬ表示装置は、複数回のフォトリソグラフィ等によるパターン形成工程や真空成膜工程を経て作製される。これら工程中のエッチング残渣や、真空装置内壁から剥がれた膜等が表示部上へ付着し、表面に凹凸ができてしまう。凹凸の段差は、製造方法や真空装置等に依存するが、５μｍ以下のものが一般的である。このような表示部Ａの表面を無機保護膜のみで保護しようとすると、膜厚が薄い場合は、凹凸を覆いきれずに無機保護膜に欠陥ができて水分が浸入してしまう。また、凹凸を充分に覆うために凹凸段差以上の厚い無機保護膜を形成すると、膜応力が大きくなって亀裂が入り易くなる上に、製造のタクト及びコストが増大してしまう。
【００３０】
そこで、本発明では樹脂保護膜１０を形成し、第一無機保護膜１１を形成する前に表示部Ａの表面の凹凸を平坦化しておく。樹脂保護膜１０は、製造工程によって発生する凹凸の段差と同等以上の膜厚に形成する。一般的な製造工程による凹凸の段差と製造コストとを考慮すると、５乃至３０μｍの膜厚が好ましい。
【００３１】
樹脂保護膜１０の末端は、平坦化膜９の分断領域Ｂの内周よりも表示部Ａ側に位置するとともに、第二無機保護膜上に配されるように形成される。
【００３２】
樹脂保護膜１０の表面は凹凸が小さく滑らかであることが好ましいため、液状で基板上に塗布ができ、その後硬化して固体にできる材料が好適に用いられる。具体的には、エチレン系共重合体樹脂、ポリエーテル樹脂、ポリエステル樹脂、エポキシ樹脂、アクリル樹脂、シリコーン樹脂、ポリイミド樹脂、フッ素樹脂、ウレタン樹脂などが挙げられる。
【００３３】
次に、樹脂保護膜１０の全表面を第一無機保護膜１１で覆い、有機ＥＬ表示素子へ水分が浸入するのを防止する。樹脂保護膜１０の表面は滑らかで平坦であるため、第一無機保護膜１１は０．５乃至３μｍの膜厚でその表面を覆い、水分の浸入を防ぐことができる。第一無機保護膜１１には、水分透過率の低い、窒化珪素、酸化珪素、その混合物等が用いられる。
【００３４】
ここで、樹脂保護膜１０を形成する前に、表示部Ａの第二電極８上に機械的強度の高い材料からなる無機下地膜を形成しておいてもよい。無機下地膜を形成しておけば、樹脂保護膜１０の材料が硬化する際の硬化収縮や硬化後の膜応力が、第二電極８以下に積層した層に伝わらず、膜剥がれを防止することができる。さらに、無機下地膜を設けない場合に比べて許容できる樹脂保護膜１０の材料の硬化収縮率や膜応力の幅が広がり、使用できる樹脂材料の種類を増やすことができる。
【００３５】
無機下地膜には、酸化アルミニウム、窒化珪素、酸化珪素等を用いることができる。また、無機下地膜には水分を遮断する機能は必要でないため、膜厚は０．１乃至１μｍでよい。
【００３６】
＜製造方法＞
図１を用いて、本発明の実施形態に係る有機ＥＬ表示装置の製造方法について説明する。
【００３７】
ＴＦＴや駆動回路は、従来の方法でガラス等の絶縁性基板上に形成することができる。
【００３８】
駆動回路を形成した側の基板１の全面に、大気中で感光性アクリル樹脂をスピンコーターで塗布した後に加熱硬化し、平坦化膜９とする。続いて、フォトリソグラフィを用い、表示部Ａの周囲の平坦化膜９を除去して分断領域Ｂを形成する。この時、画素回路３毎にコンタクトホール４を同時に形成する。
【００３９】
第一電極５の形成にはスパッタリング法を用い、例えばＡｌとＩＴＯの積層膜を形成し、フォトリソグラフィにて有機ＥＬ表示素子に対応するパターンに形成する。第一電極５は、平坦化膜９に形成したコンタクトホール４を通じて画素回路３に電気的に接続される。
【００４０】
素子分離膜７は、第一電極５の端部を覆うように有機ＥＬ素子間に形成し、発光領域を規定する。平坦化膜９と同様に、まず、スピンコーターで基板１の全体に形成した後、フォトリソグラフィにてパターンを形成する。パターン形成工程後は十分にアニールして、平坦化膜９や素子分離膜７に含まれる水分を脱水し、後に形成する有機ＥＬ素子が水分で劣化するのを防ぐ。
【００４１】
第二無機保護膜２０の形成には、蒸着法、スパッタリング法、プラズマＣＶＤ法、塗布法等、従来公知な方法を用いることができる。例えば、メタルマスクを用いた蒸着法により、所望の領域にＡｌの無機保護膜を形成する。この際、表示部Ａ外側の平坦化膜９上だけでなく、素子分離膜７上にも形成すれば、工程を増やすことなく、第二電極８のシート抵抗を低減するための補助電極を設けることができる。
【００４２】
有機層６は、従来の材料を用いて、蒸着法やレーザー転写法等の乾式法、インクジェット方式やディスペンサー方式等の塗布法で形成することができる。蒸着法において、有機層６を、有機ＥＬ表示素子毎に膜厚や材料を変えて形成する場合は、メタルマスクを用いて形成する。
【００４３】
第二電極８の形成には、第一電極と同様、スパッタリング法を用いる。例えば、ＩＺＯ膜を、メタルマスクを用いて所望する領域に形成する。
【００４４】
第二電極８を形成した後、第一無機保護膜１１を形成するまでは、露点管理した雰囲気中で工程を行い、工程中に水分が有機ＥＬ素子へ浸入するのを防止する。
【００４５】
樹脂保護膜１０は、端部が平坦化膜９の分断領域Ｂの内周よりも表示部Ａ側で、かつ、表示部Ａよりも外側に位置するように形成する。樹脂保護膜１０の端部を所定の位置に形成する手段としては、ディスペンサー方式による塗布法やスクリーン印刷法等を用いることができる。
【００４６】
塗布した樹脂保護膜１０の材料は、必要に応じて加熱、あるいはＵＶ照射により硬化させる。
【００４７】
第一無機保護膜１１や無機下地膜の形成方法には、プラズマＣＶＤ法、スパッタリング法等の真空成膜法を好適に用いることができる。
【実施例】
【００４８】
以下、具体的な実施例に基づき、本発明の有機ＥＬ表示装置を詳細に説明する。なお、本発明は以下の実施例に何ら限定されるものではなく、その要旨の範囲内で種々変更することができる。
【００４９】
＜実施例＞
図１を参照して、本発明の有機ＥＬ表示装置の具体的な実施例を説明する。
【００５０】
まず、縦１００ｍｍ、横１００ｍｍ、厚さ０．５ｍｍのガラス製の基板１上に、ｐ−ＳｉからなるＴＦＴを備える駆動回路を形成した。表示部Ａには複数の画素回路３を形成し、周辺部には画素回路３を駆動するための周辺回路２を形成した。次に、駆動回路上に、フォトレジタイプの紫外線硬化性アクリル樹脂を、スピンコーターを用いて塗布し、コンタクトホール４と分断領域Ｂのパターンを有するフォトマスクを載せて露光した。さらに、現像液で現像し、ポストベークして、コンタクトホール４と分断領域Ｂを有する膜厚２μｍの平坦化膜９を形成した。分断領域Ｂは、表示部Ａの外周より５００μｍ外側の位置から幅を５０μｍで形成した。
【００５１】
次に、第一電極５として、膜厚１００ｎｍのＡｌと膜厚５０ｎｍのＩＺＯとの積層膜を、スパッタリング法により形成した。第一電極５は、基板１上の積層体全面に形成した後、フォトリソグラフィにて、画素回路３に対応した有機ＥＬ表示素子のパターンに形成した。第一電極５は、コンタクトホール４を通じて各画素回路３に電気的に接続された。
【００５２】
平坦化膜９及び第一電極５の上に、スピンコーターで、ポリイミド樹脂を厚さ１．６μｍに塗布した後、各画素の発光領域と表示部Ａより外側とに形成されたポリイミド樹脂をフォトリソグラフィで除去し、素子分離膜７とした。
【００５３】
素子分離膜７等が形成された基板１を真空加熱した後、表示部Ａの外周と分断領域Ｂとの間に、Ａｌからなる第二無機保護膜２０を形成した。すなわち、メタルマスクを用いた抵抗加熱蒸着法により、厚さ０．５μｍのＡｌからなる第二無機保護膜２０を所望の領域に形成した。
【００５４】
次に、表示部Ａの第一電極５上に、有機層６を形成した。有機層６には、公知の有機材料からなるホール輸送層、発光層、電子輸送層、電子注入層を、抵抗加熱蒸着法を用いて積層形成した。
【００５５】
続いて、積層した有機層６上であって分断領域Ｂの略外周で囲まれた領域に、スパッタリング法により、ＩＺＯからなる第二電極８を５０ｎｍの膜厚で形成した。
【００５６】
次に、露点温度−７６℃の窒素雰囲気下で、粘度３０００ｍＰａ・ｓの熱硬化性のエポキシ樹脂を、ディスペンサーを用いて塗布した。この際、塗布端が表示部Ａ外周と分断領域Ｂの表示部側との間で、かつ、第二無機保護膜２０上に配されるようにディスペンサーを制御した。塗布後のエポキシ樹脂は、真空環境下で１００℃の温度で１５分間加熱して硬化させ、膜厚３０μｍの樹脂保護膜１０とした。
【００５７】
さらに、窒化珪素からなる第一無機保護膜１１を、ＳｉＨ4ガス、Ｎ2ガス、Ｈ2ガスを用いたプラズマＣＶＤ法で成膜した。保護膜の膜厚は１μｍとし、有機ＥＬ表示素子が形成された基板面全体を覆うように形成した。
【００５８】
以上のようにして作製した有機ＥＬ表示装置に対して、温度６０℃、湿度９０％の環境下における保存試験を行ったところ、１０００時間の保存試験の結果においても、有機ＥＬ表示素子の発光特性に変化は認められなかった。
【００５９】
＜比較例＞
図４は、比較例に係る有機ＥＬ表示装置の構造を示す模式的断面図である。なお、図４において、１は基板、２は周辺回路、３は画素回路、４はコンタクトホール、５は第一電極、６は有機層、７は素子分離膜、８は第二電極、９は平坦化膜、１０は樹脂保護膜、１１は第一無機保護膜をそれぞれ示す。また、図４において、Ａは表示部、Ｂは分断領域、Ｃは第一無機保護膜に欠陥が発生する領域をそれぞれ示す。
【００６０】
比較例として、図４に示すように、第二無機保護膜を形成しなかった以外は実施例と同様にして有機ＥＬ表示装置を作製し、温度６０℃、湿度９０％の環境下で１０００時間の保存試験を行った。保存試験の結果、表示部Ａの外側から２〜３画素分の有機ＥＬ表示素子が非発光、ないしは輝度の低下が認められた。
【００６１】
この有機ＥＬ表示装置の領域Ｃの第一無機保護膜１０の表面を電子顕微鏡で観察したところ、異物を覆いきれなかったと思われる欠陥が認められ、そこから平坦化膜９に水分が浸入して有機ＥＬ表示素子が劣化したことが示唆された。
【図面の簡単な説明】
【００６２】
【図１】本発明の実施形態及び実施例に係る有機ＥＬ表示装置の構造を示す模式的断面図である。
【図２】特許文献１に記載された有機ＥＬ表示装置の構造を示す模式的断面図である。
【図３】特許文献２に記載された有機ＥＬ表示装置の構造を示す模式的断面図である。
【図４】比較例に係る有機ＥＬ表示装置の構造を示す模式的断面図である。
【符号の説明】
【００６３】
１  基板
２  周辺回路
３  画素回路
４  コンタクトホール
５  第一電極
６  有機層
７  素子分離膜
８  第二電極
９  平坦化膜
１０  樹脂保護膜
１１  無機保護膜（第一無機保護膜）
２０  無機保護膜（第二無機保護膜）
３０  接着剤
３１  ガラス基板
Ａ  表示部
Ｂ  分断領域
Ｃ  第一無機保護膜に欠陥が発生する領域
【図１】
2009283242.tif 000003
【図２】
2009283242.tif 000004
【図３】
2009283242.tif 000005
【図４】
2009283242.tif 000006